(57)【要約】      （修正有）【課題】徘徊老人や不審者等、被認識者の捜索に直接貢献することができ、検出した被認識者に関する情報に基づいて、より正確且つ迅速に情報提供を行うことが可能な情報通信システム及び情報通信方法を提供する。【解決手段】被認識者を判断するための判断用アイテム情報を登録する被認識者情報登録部と、被認識者情報登録部に登録した前記判断用アイテム情報を有線または無線ネットワークを介して送信するセンター局装置１０と、有線または無線ネットワーク２１〜２３を介して受信した判断用アイテム情報に基づいて、画像取得部３６で取得した画像から被認識者を検出する画像解析部３７とを有する端末局装置３０と、を備え、端末局装置は、画像解析部で検出した被認識者の画像及び画像関連情報をセンター局装置へ送信し、センター局装置は、受信した被認識者の画像及び画像関連情報に基づいて、拡声放送内容生成部で拡声放送の内容データを生成する。【選択図】図１
2015186113.tif 000002
【特許請求の範囲】
【請求項１】
被認識者を判断するための判断用アイテム情報を登録する被認識者情報登録部と、前記被認識者情報登録部に登録した前記判断用アイテム情報を有線または無線ネットワークを介して送信するセンター局通信部とを有するセンター局装置と、
前記有線または無線ネットワークを介して前記判断用アイテム情報を受信する端末局通信部と、画像を取得する画像取得部と、前記端末局通信部で受信した前記判断用アイテム情報に基づいて、前記画像取得部で取得した画像から前記被認識者を検出する画像解析部とを有する端末局装置と、を備え、
前記端末局装置は、前記画像解析部で検出した前記被認識者の画像及び画像関連情報を、前記端末局通信部を介して前記センター局装置へ送信し、
前記センター局装置は、受信した前記被認識者の画像及び画像関連情報に基づいて、拡声放送内容生成部で拡声放送の内容データを生成することを特徴とする情報通信システム。
【請求項２】
請求項１記載の情報通信システムにおいて、前記センター局装置は、前記端末局装置に対してポーリングをかけ、前記端末局装置は、ポーリングに応じて、前記画像解析部で検出した前記被認識者の画像及び画像関連情報を前記センター局装置に送信することを特徴とする情報通信システム。
【請求項３】
被認識者を判断するための判断用アイテム情報を登録する被認識者情報登録部と、前記被認識者情報登録部に登録した前記判断用アイテム情報を有線または無線ネットワークを介して送信するセンター局通信部とを有するセンター局装置と、
前記有線または無線ネットワークを介して前記判断用アイテム情報を受信する端末局通信部と、画像を取得する画像取得部と、前記端末局通信部で受信した前記判断用アイテム情報に基づいて、前記画像取得部で取得した画像から前記被認識者を検出する画像解析部とを有する端末局装置と、を備え、
前記端末局装置が、前記画像解析部で検出した前記被認識者の画像及び画像関連情報を、前記端末局通信部を介して前記センター局装置へ送信するステップと、
前記センター局装置が、受信した前記被認識者の画像及び画像関連情報に基づいて、拡声放送内容生成部で拡声放送の内容データを生成するステップと、を有することを特徴とする情報通信方法。
【請求項４】
請求項３記載の情報通信方法において、前記センター局装置が、前記端末局装置に対してポーリングをかけるステップと、前記端末局装置が、ポーリングに応じて、前記画像解析部で検出した前記被認識者の画像及び画像関連情報を前記センター局装置に送信するステップと、を有することを特徴とする情報通信方法。
【発明の詳細な説明】
【技術分野】
【０００１】
本発明は、同報無線システムや画像監視システム等の情報通信システムに関し、特に、徘徊老人の捜索や不審者の発見を支援することが可能な情報通信システム及び情報通信方法に関する。
【背景技術】
【０００２】
例えば、従来の無線通信システムにおける情報の伝達方法としては、例えば、市町村防災デジタル無線通信システムが知られている。この市町村防災デジタル無線通信システムのような一般的な同報無線システムにおいては、行政機関にセンター局装置を設置し、行政管轄地区の屋外や施設内に複数の端末局装置を設置して、センター局装置から災害関連情報等の拡声放送用の音声等の情報をこれら端末局装置や戸別受信機へ同報無線により送信し、各端末局装置や戸別受信機で受信した拡声放送用の音声等の情報を、音声通報としてスピーカから拡声出力することが行われている。一般的な同報無線システムでは、センター局装置から複数の端末局装置へ、拡声放送用の音声等の情報を単一方向に無線送信することが行われる。
【０００３】
なお、無線通信システムにおいて、テレメータ等のセンサを用いて水位上昇といった災害関連情報を検知し、センサによる検知に基づいて監視カメラが撮影した画像を無線通信によりセンター局へ送信し、センター局側のモニタにセンサ発報に関係する画像を表示することが行われている（特許文献１参照）。
【０００４】
また、画像監視システムは、ホテルやビル、コンビニエンスストアや金融機関、或いはダムや道路等といった公共施設などにおいて、犯罪抑止や事故防止等の目的で設置されている。従来の一般的な画像監視システムでは、カメラ等で監視対象エリアを撮像し、撮像した画像を管理事務所や警備室等の監視センターに伝送し、監視者が、伝送されてくる画像により監視対象を目視し、目的や必要に応じて、注意や警告をしたり、画像を記録・保存したりするものである。
【０００５】
なお、画像監視システムにおいて、取得した画像から侵入者等を検出してアラームを発生させることが行われている（特許文献２参照）。
【先行技術文献】
【特許文献】
【０００６】
【特許文献１】特開２００６−１６５９８１号公報
【特許文献２】特開２００９−２２５２７５号公報
【発明の概要】
【発明が解決しようとする課題】
【０００７】
しかしながら、例えば、徘徊老人の捜索や不審者への対応を行う場合、従来の情報通信システムでは、上記した同報無線システムを使い、センター局装置から複数の端末局装置や戸別受信機に拡声放送用の音声情報を送信し、各端末局装置や戸別受信機のスピーカから音声にて情報提供することしかできず、システム自体が徘徊老人の捜索や不審者の発見に直接貢献できるものではなかった。
【０００８】
本発明は、この様な状況に鑑みて為されたものであり、徘徊老人や不審者等、被認識者の捜索に直接貢献することができ、検出した被認識者に関する情報に基づいて、より正確且つ迅速に情報提供を行うことが可能な情報通信システム及び情報通信方法を提供することを目的とする。
【課題を解決するための手段】
【０００９】
上記目的を達成するための本発明に係る情報通信システムは、被認識者を判断するための判断用アイテム情報を登録する被認識者情報登録部と、前記被認識者情報登録部に登録した前記判断用アイテム情報を有線または無線ネットワークを介して送信するセンター局通信部とを有するセンター局装置と、前記有線または無線ネットワークを介して前記判断用アイテム情報を受信する端末局通信部と、画像を取得する画像取得部と、前記端末局通信部で受信した前記判断用アイテム情報に基づいて、前記画像取得部で取得した画像から前記被認識者を検出する画像解析部とを有する端末局装置と、を備え、前記端末局装置は、前記画像解析部で検出した前記被認識者の画像及び画像関連情報を、前記端末局通信部を介して前記センター局装置へ送信し、前記センター局装置は、受信した前記被認識者の画像及び画像関連情報に基づいて、拡声放送内容生成部で拡声放送の内容データを生成することを特徴とする。
【００１０】
また、上記目的を達成するための本発明に係る情報通信システムは、上記した情報通信システムにおいて、前記センター局装置は、前記端末局装置に対してポーリングをかけ、前記端末局装置は、ポーリングに応じて、前記画像解析部で検出した前記被認識者の画像及び画像関連情報を前記センター局装置に送信することを特徴とする。
【００１１】
また、上記目的を達成するための本発明に係る情報通信方法は、被認識者を判断するための判断用アイテム情報を登録する被認識者情報登録部と、前記被認識者情報登録部に登録した前記判断用アイテム情報を有線または無線ネットワークを介して送信するセンター局通信部とを有するセンター局装置と、前記有線または無線ネットワークを介して前記判断用アイテム情報を受信する端末局通信部と、画像を取得する画像取得部と、前記端末局通信部で受信した前記判断用アイテム情報に基づいて、前記画像取得部で取得した画像から前記被認識者を検出する画像解析部とを有する端末局装置と、を備え、前記端末局装置が、前記画像解析部で検出した前記被認識者の画像及び画像関連情報を、前記端末局通信部を介して前記センター局装置へ送信するステップと、前記センター局装置が、受信した前記被認識者の画像及び画像関連情報に基づいて、拡声放送内容生成部で拡声放送の内容データを生成するステップと、を有することを特徴とする。
【００１２】
また、上記目的を達成するための本発明に係る情報通信方法は、上記した情報通信方法において、前記センター局装置が、前記端末局装置に対してポーリングをかけるステップと、前記端末局装置が、ポーリングに応じて、前記画像解析部で検出した前記被認識者の画像及び画像関連情報を前記センター局装置に送信するステップと、を有することを特徴とする。
【発明の効果】
【００１３】
本発明によれば、徘徊老人や不審者等、被認識者の捜索に直接貢献することができ、検出した被認識者に関する情報に基づいて、より正確且つ迅速に情報提供を行うことができる。
【図面の簡単な説明】
【００１４】
【図１】本発明の情報通信システムの実施形態１に係る無線通信システムを示すシステム構成図である。
【図２】本発明の情報通信システムの実施形態１に係る無線通信システムの操作卓の構成を示す内部構成図である。
【図３】本発明の情報通信システムの実施形態１に係る無線通信システムにおける動作の一例を示すタイムチャートである。
【図４】本発明の情報通信システムの実施形態１に係る無線通信システムの変形例を示すシステム構成図である。
【図５】本発明の情報通信システムの実施形態１に係る無線通信システムの変形例における動作の一例を示すタイムチャートである。
【図６】本発明の情報通信システムの実施形態２に係る画像監視システムを示すシステム構成図である。
【図７】本発明の情報通信システムの実施形態２に係る画像監視システムにおける動作の一例を示すタイムチャートである。
【図８】本発明の情報通信システムの実施形態３に係る無線通信システムにおける動作の一例を示すタイムチャートである。
【発明を実施するための形態】
【００１５】
＜実施形態１＞
以下、本発明の実施形態１に係る情報通信システムについて、図面を参照して説明する。本実施形態１では、市区町村などの防災に関する無線通信システムであるデジタル同報無線システムに本発明を適用した場合を示す。
【００１６】
本実施形態１に係るデジタル同報無線システムは、例えば、災害時に行政機関から住民に対して災害関連情報を報知する等の用途として用いられ、センター局装置から同報無線送信した拡声放送用の音声等の情報を、所定の場所に設置された複数の端末局装置などで受信して出力する。具体例として、６０ＭＨｚ帯（５４〜７０ＭＨｚ）における市町村デジタル防災無線通信方式であるＴＤＭＡ−ＴＤＤ方式による防災行政用のデジタル同報無線システムにおいて、同報無線回線を利用して、センター局装置と端末局装置などとの間で、音声情報や他の符号情報等による通報を行う機能を備える。
【００１７】
本実施形態１に係るデジタル同報無線システムでは、例えば、災害が発生した時などに、行政機関から住民に対して災害関連の情報を一斉通報により報知することが行われる。具体的には、センター局装置に設置された操作卓や基地局無線送受信装置により、各地域における屋外や一般家庭や集会所や学校などに設置された端末局装置などに対して、災害に関する情報や、緊急指令の情報や、避難勧告の情報などを、通話による音声情報または文字情報等の非音声情報による拡声放送用の音声等の情報として送信して、住民へ拡声放送用の音声等の情報を伝達する。
【００１８】
通信システムとしては、例えば、端末局装置が固定的に設置されるような固定系の通信システムに適用されてもよく、或いは、端末局装置が携帯電話のように移動可能な通信システムに適用されてもよい。なお、本実施形態１では、複数の端末局装置は、それぞれの地域の場所に設置されており、複数の戸別受信機は、例えば、市町村内の住居に戸別毎（世帯毎）に設置されている、或いはそれぞれの操作者（所有者）により携帯されている。
また、一般に、基地局装置（本実施形態１では、センター局装置）から端末局装置などへの通信の方向を下りと言い、端末局装置などから基地局装置（本実施形態１では、センター局装置）への通信の方向を上りと言う。
【００１９】
［無線通信システムの構成］
図１には、本発明の情報通信システムの実施形態１に係る無線通信システムを示すシステム構成図を示してある。本実施形態１に係るデジタル同報無線システムでは、センター局装置１０と、複数であるｎ個の端末局装置３０（１）〜３０（ｎ）と、複数であるｍ個の戸別受信機４０（１）〜４０（ｍ）を設けてある。なお、複数の端末局装置３０（１）〜３０（ｎ）の数ｎや、複数の戸別受信機４０（１）〜４０（ｍ）の数ｍとしては、それぞれ、種々な数が用いられてもよい。以降、この様な複数の装置は、特に区別して記載しないが、複数で記載しないからといって特定の端末に限られるわけではない。
【００２０】
また、図１には、センター局装置１０と端末局装置３０（１）との間の無線回線２１や、センター局装置１０と端末局装置３０（ｎ）との間の無線回線２２や、センター局装置１０と戸別受信機４０（１）との間の無線回線２３を示してある。本例では、センター局装置１０の基地局無線送受信装置１が、端末局装置３０（１）〜３０（ｎ）および戸別受信装置４０（１）〜４０（ｍ）と、無線回線２１〜２３により接続される。
【００２１】
また、本実施形態１では、各端末局装置３０（１）〜３０（ｎ）の構成や動作は同様であるため、１個の端末局装置３０（１）のみについて符号を付して構成を示してあり、また、各戸別受信機４０（１）〜４０（ｍ）の構成や動作は同様であるため、１個の戸別受信機４０（１）のみについて符号を付して構成を示してある。
【００２２】
また、本実施形態１では、主に、センター局装置１０と端末局装置３０（１）〜３０（ｎ）との間で通信する場合について説明するが、例えば、端末局装置３０（１）〜３０（ｎ）と同様な構成や動作を、戸別受信機４０（１）〜４０（ｍ）に適用することも可能である。
【００２３】
センター局装置１０は、市町村役場等に設置されるものであり、センター局制御部１１やセンター局無線部１２やセンター局アンテナ１３を有し無線通信する基地局無線送受信装置１と、操作者により操作されて各種の指令などを受け付ける操作卓２とを備えている。操作卓２は、基地局無線送受信装置１に対して、操作者により緊急情報等の拡声放送用音声信号の送出等をするものであり、操作者が入力するためのキーボード等の入力手段や、ＬＣＤ（Liquid  Crystal  Display）等の表示出力手段を備える。なお、詳細については後述する。センター局無線部１２は、端末局装置３０に対し、音声信号や制御信号を無線で送信する。センター局アンテナ１３は、端末局装置３０と無線通信するためのアンテナである。センター局制御部１１は、音声情報や制御情報等を無線通信するための所定のフォーマットやレベル等をコントロールし、また端末局装置３０から送信されセンター局無線部１２で受信した画像や情報を読み出して出力する。センター局制御部１１のハードウエア構成としては、ＣＰＵ（Central  Processing  Unit）とセンター局制御部１１の動作プログラム等を格納するメモリを備えており、ＣＰＵは、この動作プログラムに従って動作する。
【００２４】
各端末局装置３０（１）〜３０（ｎ）は、端末局制御部３１や端末局無線部３２や端末局アンテナ３３を有し無線通信する端末局本体装置３と、音声を拡声放送として出力するトランペットスピーカ３４と、画像を取得するＣＣＤ（Charge  Coupled  Device）などの撮像素子を含む画像取得部３６や画像解析により被認識者を検出する画像解析部３７とを有し被認識者の画像及び画像関連情報を出力するカメラ３５とを備えている。端末局アンテナ３３は、センター局装置１０と無線通信するためのアンテナである。端末局無線部３２は、センター局装置１０から無線送信された拡声放送用の音声等の情報、並びに被認識者の判断用アイテム情報と被認識者に関する画像収集の開始要求を受信する。
【００２５】
端末局制御部３１は、端末局無線部３２で受信した拡声放送用の音声等の情報を読出して出力し、またカメラ３５で取得した被認識者の画像及び画像関連情報等を無線通信するための所定のフォーマットやレベル等をコントロールする。ハードウエア構成としては、ＣＰＵと端末局制御部３１の動作プログラム等を格納するメモリを備えており、ＣＰＵは、この動作プログラムに従って動作する。
【００２６】
各戸別受信機４０（１）〜４０（ｍ）は、操作者の操作を受け付け通報音声の録音再生を制御する録音再生部４１と、音声を操作者へ出力するモニタスピーカ４２とを備えている。
【００２７】
ここで、本実施形態１では、センター局装置１０に対して、複数の端末局装置３０（１）〜３０（ｎ）や複数の戸別受信機４０（１）〜４０（ｍ）が直接的に無線回線２１〜２３を介して接続されるシステム構成であるが、例えば、図示していない中継局装置を設けて、センター局装置１０と複数の端末局装置３０（１）〜３０（ｎ）や複数の戸別受信機４０（１）〜４０（ｍ）とが中継局装置を介して接続されるようなシステム構成が用いられてもよい。
【００２８】
図２には、本発明の情報通信システムの実施形態１に係る無線通信システムの操作卓の構成を示す内部構成図を示してある。
【００２９】
操作卓２は、ＣＰＵと操作卓２の動作プログラム等格納するメモリとからなるセンター局制御部２０１を備え、このセンター局制御部２０１には記憶部２０９及びインターフェース群が接続されている。インターフェース群は、出力インターフェース２０２、入力インターフェース２０４、表示インターフェース２０６及び無線インターフェース２１０とから構成されている。
【００３０】
出力インターフェース２０２は、センター局制御部２０１で生成された音声信号をアナログ信号に変換してスピーカ２０３から拡声出力する。入力インターフェース２０４には、マイクロホン２０５及び入力部２０７が接続されている。入力インターフェース２０４は、マイクロホン２０５から入力されたシステム管理者の通報音声、及び入力部２０７により入力された操作情報をデジタル信号に変換してセンター局制御部２０１へ出力する。表示インターフェース２０６は、センター局制御部２０１から出力された表示データを表示部２０８に表示する。表示部２０８には、例えば、ＬＣＤ等の表示装置が使用される。無線インターフェース２１０は、センター局制御部２０１の制御の下、基地局無線送受信装置１との間で信号を送受信する。
【００３１】
上記した構成により、基地局無線送受信装置１は、上記操作卓２から出力された送信信号により変調された下り無線信号を生成し、この生成された下り無線信号をこのシステムに割り当てられた無線周波数に変換してセンター局アンテナ１３から端末局装置３０に送信する。また、端末局装置３０から送られた上り無線信号を受信して復調し、この復調により再生された受信信号をセンター局制御部２０１に転送する。なお、上記下り無線信号を端末局装置３０に対し直接送信する場合には同報波が、また中継局装置を介して送信する場合には同報波とは周波数が異なる中継波が使用される。
【００３２】
記憶部２０９には、端末局管理テーブル２０９ａ、被認識者情報テーブル２０９ｂ、および音声データ２０９ｃが記憶されている。端末局管理テーブル２０９ａには、このシステムに属する端末局装置３０のＩＤに対応付けて、端末局装置３０の状態変化を表わすデータとその時刻、および端末局装置３０の設置位置を表わす位置データが記憶されている。なお、本実施形態１では、位置データは、例えば、緯度経度により表わされるが、地区の名称や施設の名称などが記憶されていてもよい。
【００３３】
センター局制御部２０１は、ポーリング制御機能に加え、さらに本発明に係わる制御機能として、拡声放送用テキスト生成機能２０１ａおよび音声変換機能２０１ｂを備えている。これらの制御機能はいずれも、図示しないプログラムメモリに格納されたアプリケーション・プログラムをＣＰＵに実行させることにより実現される。
【００３４】
ポーリング制御機能は、所定の時間ごとに管理エリアに存在する全ての端末局装置３０に対して端末局監視信号を送信する。そして、この端末局監視信号を受信した各端末局装置３０から送信されるポーリング応答信号の受信処理を実行する。センター局制御部２０１は、ポーリング応答信号を受信すると、このポーリング応答信号から、端末局装置３０の端末局ＩＤ、状態データ及びその検出時刻を抽出し、抽出された情報を端末局管理テーブル２０９ａに記憶すると共に、端末局ＩＤに対応付けて上記状態データ及びその検出時刻を表示部２０８に一覧表示する。
【００３５】
拡声放送用テキスト生成機能２０１ａは、端末局装置３０から送信されたカメラ３５で検出された被認識者の画像及び画像関連情報を受信すると、被認識者の登録ＩＤ、検出時刻、端末局ＩＤを抽出し、被認識者情報テーブル２０９ｂに記憶し、これらの情報を基にして、拡声放送用のテキストを生成する。このとき、センター局制御部２０１が記憶部２０９内の端末局管理テーブル２０９ａおよび被認識者情報テーブル２０９ｂを参照し、例えば、被認識者の種別に応じたテキスト定型文に時刻や場所の情報を組み込んで拡声放送用のテキストを作成し、表示部２０８に画像等と共に表示する。このとき生成されるテキストは、例えば、「○時○分頃、△△町△丁目で、捜索中の男性を発見しました。」「○時○分頃、△△町△丁目付近に、不審な人物が現れました。近隣住民の皆さんは注意してください。」等である。ここで場所情報は、端末局装置３０の設置場所の住所が記憶されていてもよいし、近隣の施設の名称等が記憶されていてもよく、これらの情報が抽出されてテキスト化される。
【００３６】
音声変換機能２０１ｂは、前述の拡声放送用テキスト生成機能２０１ａにより生成された拡声放送用のテキストを拡声放送用の音声データに変換する。このとき、センター局制御部２０１が記憶部２０９内の音声データ２０９ｃを参照し、テキストに応じた音声を生成する。例えば、定型文に対応する音声を記憶しておき、時間や場所の音声を各文字の音声を繋ぎ合せて生成してもよいし、全ての文字の音声を繋ぎ合せて生成してもよい。生成した音声は、必要に応じてスピーカ２０３から出力してもよい。
【００３７】
拡声放送用テキスト生成機能２０１ａにより生成された拡声放送用のテキストまたは音声変換機能２０１ｂにより生成された拡声放送用の音声データは、入力部２０７からの修正指示を受け付けると修正内容に応じて再生成される。
【００３８】
入力部２０７から拡声放送の指示が出ると、拡声放送用の音声データは、無線インターフェース２１０および基地局無線送受信装置１を介してセンター局アンテナ１３より指定された端末局装置３０または全ての端末局装置３０または／および戸別受信機４０に対して無線伝送される。端末局装置３０は、拡声放送用の音声データを受信すると、端末局無線部３２および端末局制御部３１を介して、トランペットスピーカ３４から拡声放送用の音声を拡声放送する。
【００３９】
［無線通信システムの動作］
次に、本発明の情報通信システムの実施形態１に係る無線通信システムにおける動作について、図３を参照して説明する。図３は、本発明の情報通信システムの実施形態１に係る無線通信システムにおける動作の一例を示すタイムチャートである。
【００４０】
例えば、市区町村等の行政機関において、住民から徘徊老人に関する捜索願を受け付けた場合に、センター局装置１０では、操作者が捜索願の依頼人より入手した被認識者である徘徊老人を判断するための判断用アイテム情報を操作卓２の入力部２０７から入力することで、当該判断用アイテム情報が記録部２０９の被認識者情報テーブル２０９ｂに登録され、被認識者の情報登録が為される（ステップＳ１０１）。
ここで、被認識者を判断するための判断用アイテム情報とは、例えば、年齢、性別、着衣（形、色）、髪型、髪色などであり、それぞれの特徴量が被認識者情報テーブル２０９ｂに登録される。これらの登録方法は、例えば、入力部２０７からの操作によって、表示部２０８に表示された操作画面上でこれらを選択式に設定できるようにしてもよい。
【００４１】
次に、被認識者である徘徊老人の捜索について、拡声放送が必要か否かを操作者に判断させ（ステップＳ１０２）、必要と判断された場合（ＹＥＳ）には、次のステップＳ１０３の処理へ進み、不要と判断された場合（ＮＯ）には、拡声放送せずにステップＳ１０８の処理へ進む。
ここで、例えば、捜索する被認識者が不審者等の場合には、公にすることなく端末局装置３０のカメラ３５による捜索が必要となるため、拡声放送しないようにする方がよい。
【００４２】
ステップＳ１０２において拡声放送が必要と判断された場合、センター局装置１０では、操作卓２のセンター局制御部２０１が、拡声放送用テキスト生成機能２０１ａにより、被認識者である徘徊老人を判断するための判断用アイテム情報を基にして、拡声放送用のテキストを生成する（ステップＳ１０３）。
次に、センター局制御部２０１が、音声変換機能２０１ｂにより、拡声放送用のテキストを拡声放送用の音声データに変換する（ステップＳ１０４）。変換された拡声放送用の音声データは、指定した、または全ての端末局装置３０または／および戸別受信機４０に送信される（ステップＳ１０５）。
そして、端末局装置３０は、センター局装置１０から拡声放送用の音声データを受信すると、トランペットスピーカ３４から拡声放送用の音声を拡声放送し（ステップＳ１０６）、また、戸別受信機４０は、拡声放送用の音声データを受信すると、モニタスピーカ４２から拡声放送用の音声を出力する（ステップＳ１０７）。
【００４３】
また、操作卓２のセンター局制御部２０１は、被認識者の判断用アイテム情報と被認識者に関する画像収集の開始要求を、基地局無線送受信装置１を介して端末局装置３０に送信する（ステップＳ１０８）。
端末局装置３０は、センター局装置１０から被認識者の判断用アイテム情報と被認識者に関する画像収集の開始要求を受信すると、カメラ３５を作動させて画像取得並びに画像解析の処理を開始し、画像取得部３６で取得した画像を画像解析部３７で解析を行い、被認識者を検出する（ステップＳ１０９）。
なお、ステップＳ１０９の画像解析処理においては、例えば、特開２００９−１９９３２２号公報等に開示された人物の同一性を判断する公知の技術を使い、被認識者の人物検索を行う。特開２００９−１９９３２２号公報には、顔特徴量と着衣情報から人物を検索する技術が記載されている。
そして、端末局装置３０のカメラ３５は、ステップＳ１０９の画像解析処理にて検出した被認識者の画像及び画像関連情報を図示していない記憶部に蓄積・保存する（ステップＳ１１０）。
【００４４】
一方、センター局装置１０では、操作者が操作卓２の入力部２０７から、ポーリング機能により、端末局装置３０に対して画像送信要求を行うと（ステップＳ１１１）、端末局装置３０は、被認識者の画像及び画像関連情報を、検出時刻や端末局ＩＤと共に無線回線２１を介してセンター局装置１０へ送信する（ステップＳ１１２）。
センター局装置１０では、端末局装置３０から被認識者の画像及び画像関連情報を基地局無線送受信装置１で受信すると、操作卓２に転送し、操作卓２のセンター局制御部２０１が、記憶部２０９の被認識者情報テーブル２０９ｂに蓄積・保存する（ステップＳ１１３）。
センター局制御部２０１は、端末局装置３０から収集した複数の被認識者の画像及び画像関連情報の解析を行い（ステップＳ１１４）、解析した結果を表示部２０８に表示させる（ステップＳ１１５）。例えば、センター局制御部２０１は、解析した結果に基づいて、表示部２０８に表示された操作画面の地図上に、被認識者の画像と被認識者が見つかった場所を明示するようにする。
【００４５】
次に、被認識者である徘徊老人が見つかったことについて、拡声放送が必要か否かを操作者に判断させ（ステップＳ１１６）、必要と判断された場合（ＹＥＳ）には、次のステップＳ１１７の処理へ進み、不要と判断された場合（ＮＯ）には、拡声放送せずに処理を終了する。
ここで、例えば、捜索していた被認識者が不審者等の場合には、公にしない方がよい場合があるので、拡声放送するかしないかは適宜操作者または管理者が判断するようにすればよい。
【００４６】
ステップＳ１１６において拡声放送が必要と判断された場合、センター局装置１０では、操作卓２のセンター局制御部２０１が、拡声放送用テキスト生成機能２０１ａにより、被認識者の画像及び画像関連情報を基にして、拡声放送用のテキストを生成する（ステップＳ１１７）。
次に、センター局制御部２０１が、音声変換機能２０１ｂにより、拡声放送用のテキストを拡声放送用の音声データに変換する（ステップＳ１１８）。変換された拡声放送用の音声データは、指定した、または全ての端末局装置３０または／および戸別受信機４０に送信される（ステップＳ１１９）。
そして、端末局装置３０は、センター局装置１０から拡声放送用の音声データを受信すると、トランペットスピーカ３４から拡声放送用の音声を拡声放送し（ステップＳ１２０）、また、戸別受信機４０は、拡声放送用の音声データを受信すると、モニタスピーカ４２から拡声放送用の音声を出力する（ステップＳ１２１）。
【００４７】
なお、ステップＳ１０２及びステップＳ１１６の処理では、操作者が拡声放送の必要の有無を判断することとしたが、センター局制御部２０１が自動で判断するようにしてもよい。その際には、被認識者情報テーブル２０９ｂに被認識者ごとの拡声放送必要の有無を設定しておき、センター局制御部２０１が記憶部２０９の被認識者情報テーブル２０９ｂを参照して、拡声放送必要の有無の設定に応じて判断するようにする。
【００４８】
以上説明したように、本発明の実施形態１によれば、徘徊老人や不審者等、被認識者の捜索に直接貢献することができ、検出した被認識者に関する情報に基づいて、より正確且つ迅速に情報提供を行うことができる。
【００４９】
＜実施形態１の変形例＞
［無線通信システムの構成］
次に、本発明の情報通信システムの実施形態１に係る無線通信システムの変形例について、図４を参照して説明する。図４は、本発明の情報通信システムの実施形態１に係る無線通信システムの変形例を示すシステム構成図である。本実施形態に係るデジタル同報無線システムは、端末局装置３０とは異なる場所に設置された監視端末局装置５０において画像を取得し被認識者を検出する点で、実施形態１と異なる。以降、図を用いて説明するが、実施形態１と同じ部分については一部省略して記載する。
【００５０】
本実施形態に係るデジタル同報無線システムでは、センター局装置１０と、複数であるｎ個の端末局装置３０（１）〜３０（ｎ）と、複数であるｍ個の戸別受信機４０（１）〜４０（ｍ）と、複数であるｓ個の監視端末局装置５０（１）〜（ｓ）を設けてある。なお、複数の端末局装置３０（１）〜３０（ｎ）の数ｎや、複数の戸別受信機４０（１）〜４０（ｍ）の数ｍや、複数の監視端末局装置５０（１）〜（ｓ）の数ｓとしては、図には１つしか記載していないものもあるが、それぞれ、種々な数が用いられてもよく、場合によっては１であってもよい。
【００５１】
また、図４には、センター局装置１０と端末局装置３０（１）との間の無線回線２１や、センター局装置１０と戸別受信機４０（１）との間の無線回線２３や、センター局装置１０と監視端末局装置５０（ｓ）との間の無線回線２４を示してある。本例では、センター局装置１０の基地局無線送受信装置１が、端末局装置３０（１）〜３０（ｎ）、戸別受信装置４０（１）〜４０（ｍ）、監視端末局装置５０（１）〜（ｓ）と、無線回線２１，２３，２４により接続される。
【００５２】
また、本実施形態では、各端末局装置３０（１）〜３０（ｎ）の構成や動作は同様であるため、１個の端末局装置３０（１）のみについて符号を付して構成を示してあり、また、各戸別受信機４０（１）〜４０（ｍ）の構成や動作は同様であるため、１個の戸別受信機４０（１）のみについて符号を付して構成を示してあり、監視端末局装置５０（１）〜（ｓ）の構成や動作は同様であるため、１個の監視端末局装置５０（１）のみについて符号を付して構成を示してある。
【００５３】
また、本実施形態では、主に、センター局装置１０と端末局装置３０（１）〜３０（ｎ）および監視端末局装置５０（１）〜（ｓ）との間で通信する場合について説明するが、例えば、端末局装置３０（１）〜３０（ｎ）と同様な構成や動作を、戸別受信機４０（１）〜４０（ｍ）に適用することも可能である。
【００５４】
センター局装置１０の構成や動作は、実施形態１と基本的に同様であるが、記憶部２０９の端末局管理テーブル２０９ａには監視端末局装置５０（１）〜（ｓ）の被認識者検知や時刻等の状態情報や設置位置を表す位置データも、端末局装置３０（１）〜３０（ｎ）の情報と共に記憶される。なお、被認識者検知や時刻等の状態情報は、主に、カメラ５５で被認識者を検出した際に記憶される。
【００５５】
端末局装置３０（１）〜３０（ｎ）の構成や動作は、カメラがないところ以外は実施形態１と同様であるが、中にはカメラが設置されているものがあってもよい。そのカメラで被認識者を検出した場合は、実施形態１の動作と同様である。戸別受信機４０（１）〜４０（ｍ）の構成や動作についても実施形態１と同様である。
【００５６】
各監視端末局装置５０（１）〜（ｓ）は、監視端末局制御部５１や監視端末局無線部５２や監視端末局アンテナ５３を有し無線通信する監視端末局本体装置５と、画像を取得するＣＣＤなどの撮像素子を含む画像取得部５６や画像解析により被認識者を検出する画像解析部５７とを有し被認識者の画像及び画像関連情報を出力するカメラ５５とを備えている。監視端末局アンテナ５３は、センター局装置１０と無線通信するためのアンテナである。監視端末局無線部５２は、センター局装置１０から無線送信された被認識者の判断用アイテム情報と被認識者に関する画像収集の開始要求を受信する。
【００５７】
ここで、本実施形態では、センター局装置１０に対して、複数の端末局装置３０（１）〜３０（ｎ）や複数の戸別受信機４０（１）〜４０（ｍ）や複数の監視端末局装置５０（１）〜（ｓ）が直接的に無線回線２１，２３，２４を介して接続されるシステム構成を示すが、例えば、図示していない中継局装置を設けて、センター局装置１０と複数の端末局装置３０（１）〜３０（ｎ）や複数の戸別受信機４０（１）〜４０（ｍ）や監視端末局装置５０（１）〜（ｓ）とが中継局装置を介して接続されるようなシステム構成が用いられても良い。
【００５８】
センター局装置１０では、操作者が操作卓２の入力部２０７から、監視端末局装置５０に対して、被認識者の判断用アイテム情報と被認識者に関する画像収集の開始要求を送信すると、センター局制御部２０１で画像収集要求信号が生成され、基地局無線送受信装置１を介してセンター局アンテナ１３から無線送信される。監視端末局装置５０では、画像収集要求信号を監視端末局アンテナ５３から受信すると、監視端末局本体装置５の監視端末局無線部５２を介して監視端末局制御部５１が受信し、カメラ５５に対し被認識者に関する画像の収集を要求する。カメラ５５は、画像取得並びに画像解析の処理を開始し、画像取得部５６で取得した画像を画像解析部５７で解析を行い、被認識者を検出する。また、カメラ５５は、センター局装置１０からの画像送信要求（ポーリング）に応じて、蓄積・保存した被認識者の画像及び画像関連データを監視端末局制御部５１へ出力する。監視端末局制御部５１は、監視端末局無線部５２を介して、監視端末局アンテナ５３から被認識者の画像及び画像関連情報をセンター局装置１０へ向けて無線送信する。センター局装置１０では、被認識者の画像及び画像関連情報をセンター局アンテナ１３から受信すると、基地局無線送受信装置１のセンター局無線部１２を介してセンター局制御部１１が受信し、操作卓２へ出力する。操作卓２では、受信した被認識者の画像及び画像関連情報をセンター局制御部２０１が記録部２０９の被認識者情報テーブル２０９ｂに蓄積・保存し、データ解析を行う。そして、センター局制御部２０１が解析した結果を表示部２０８へ出力し、被認識者の画像並びにその位置情報を表示部２０８の操作画面の地図上に表示させる。これにより、センター局装置１０側での操作により、被認識者の画像並びにその位置情報を閲覧することができる。
【００５９】
監視端末局装置５０において画像を取得し、その画像から被認識者を検出し、検出した被認識者の画像及び画像関連情報をセンター局装置へ無線送信する処理は、実施形態１における処理と同様である。
【００６０】
［無線通信システムの動作］
次に、本発明の情報通信システムの実施形態１に係る無線通信システムの変形例における動作について、図５を参照して説明する。図５は、本発明の情報通信システムの実施形態１に係る無線通信システムの変形例における動作の一例を示すタイムチャートである。
【００６１】
例えば、市区町村等の行政機関において、住民から徘徊老人に関する捜索願を受け付けた場合に、センター局装置１０では、操作者が捜索願の依頼人より入手した被認識者である徘徊老人を判断するための判断用アイテム情報を操作卓２の入力部２０７から入力することで、当該判断用アイテム情報が記録部２０９の被認識者情報テーブル２０９ｂに登録され、被認識者の情報登録が為される（ステップＳ２０１）。
ここで、被認識者を判断するための判断用アイテム情報とは、例えば、年齢、性別、着衣（形、色）、髪型、髪色などであり、それぞれの特徴量が被認識者情報テーブル２０９ｂに登録される。これらの登録方法は、例えば、入力部２０７からの操作によって、表示部２０８に表示された操作画面上でこれらを選択式に設定できるようにしてもよい。
【００６２】
次に、被認識者である徘徊老人の捜索について、拡声放送が必要か否かを操作者に判断させ（ステップＳ２０２）、必要と判断された場合（ＹＥＳ）には、次のステップＳ２０３の処理へ進み、不要と判断された場合（ＮＯ）には、拡声放送せずにステップＳ２０７の処理へ進む。
ここで、例えば、捜索する被認識者が不審者等の場合には、公にすることなく端末局装置３０のカメラ３５による捜索が必要となるため、拡声放送しないようにする方がよい。
【００６３】
ステップＳ２０２において拡声放送が必要と判断された場合、センター局装置１０では、操作卓２のセンター局制御部２０１が、拡声放送用テキスト生成機能２０１ａにより、被認識者である徘徊老人を判断するための判断用アイテム情報を基にして、拡声放送用のテキストを生成する（ステップＳ２０３）。
次に、センター局制御部２０１が、音声変換機能２０１ｂにより、拡声放送用のテキストを拡声放送用の音声データに変換する（ステップＳ２０４）。変換された拡声放送用の音声データは、指定した、または全ての端末局装置３０または／および戸別受信機４０に送信される（ステップＳ２０５）。
そして、端末局装置３０は、センター局装置１０から拡声放送用の音声データを受信すると、トランペットスピーカ３４から拡声放送用の音声を拡声放送し、戸別受信機４０は、拡声放送用の音声データを受信すると、モニタスピーカ４２から拡声放送用の音声を出力する（ステップＳ２０６）。
【００６４】
また、操作卓２のセンター局制御部２０１は、被認識者の判断用アイテム情報と被認識者に関する画像収集の開始要求を、基地局無線送受信装置１を介して監視端末局装置５０に送信する（ステップＳ２０７）。
監視端末局装置５０は、センター局装置１０から被認識者の判断用アイテム情報と被認識者に関する画像収集の開始要求を受信すると、カメラ５５を作動させて画像取得並びに画像解析の処理を開始し、画像取得部５６で取得した画像を画像解析部５７で解析を行い、被認識者を検出する（ステップＳ２０８）。
なお、ステップＳ２０８の画像解析処理においては、例えば、特開２００９−１９９３２２号公報等に開示された人物の同一性を判断する公知の技術を使い、被認識者の人物検索を行う。特開２００９−１９９３２２号公報には、顔特徴量と着衣情報から人物を検索する技術が記載されている。
そして、監視端末局装置５０のカメラ５５は、ステップＳ２０８の画像解析処理にて検出した被認識者の画像及び画像関連情報を図示していない記憶部に蓄積・保存する（ステップＳ２０９）。
【００６５】
一方、センター局装置１０では、操作者が操作卓２の入力部２０７から、ポーリング機能により、監視端末局装置５０に対して画像送信要求を行うと（ステップＳ２１０）、監視端末局装置５０は、被認識者の画像及び画像関連情報を、検出時刻や端末局ＩＤと共に無線回線２４を介してセンター局装置１０へ送信する（ステップＳ２１１）。
センター局装置１０では、監視端末局装置５０から被認識者の画像及び画像関連情報を基地局無線送受信装置１で受信すると、操作卓２に転送し、操作卓２のセンター局制御部２０１が、記憶部２０９の被認識者情報テーブル２０９ｂに蓄積・保存する（ステップＳ２１２）。
センター局制御部２０１は、監視端末局装置５０から収集した複数の被認識者の画像及び画像関連情報の解析を行い（ステップＳ２１３）、解析した結果を表示部２０８に表示させる（ステップＳ２１４）。例えば、センター局制御部２０１は、解析した結果に基づいて、表示部２０８に表示された操作画面の地図上に、被認識者の画像と被認識者が見つかった場所を明示するようにする。
【００６６】
次に、被認識者である徘徊老人が見つかったことについて、拡声放送が必要か否かを操作者に判断させ（ステップＳ２１５）、必要と判断された場合（ＹＥＳ）には、次のステップＳ２１６の処理へ進み、不要と判断された場合（ＮＯ）には、拡声放送せずに処理を終了する。
ここで、例えば、捜索していた被認識者が不審者等の場合には、公にしない方がよい場合があるので、拡声放送するかしないかは適宜操作者または管理者が判断するようにすればよい。
【００６７】
ステップＳ２１５において拡声放送が必要と判断された場合、センター局装置１０では、操作卓２のセンター局制御部２０１が、拡声放送用テキスト生成機能２０１ａにより、被認識者の画像及び画像関連情報を基にして、拡声放送用のテキストを生成する（ステップＳ２１６）。
次に、センター局制御部２０１が、音声変換機能２０１ｂにより、拡声放送用のテキストを拡声放送用の音声データに変換する（ステップＳ２１７）。変換された拡声放送用の音声データは、指定した、または全ての端末局装置３０または／および戸別受信機４０に送信される（ステップＳ２１８）。
そして、端末局装置３０は、センター局装置１０から拡声放送用の音声データを受信すると、トランペットスピーカ３４から拡声放送用の音声を拡声放送し、戸別受信機４０は、拡声放送用の音声データを受信すると、モニタスピーカ４２から拡声放送用の音声を出力する（ステップＳ２１９）。
【００６８】
なお、ステップＳ２０２及びステップＳ２１５の処理では、操作者が拡声放送の必要の有無を判断することとしたが、センター局制御部２０１が自動で判断するようにしてもよい。その際には、被認識者情報テーブル２０９ｂに被認識者ごとの拡声放送必要の有無を設定しておき、センター局制御部２０１が記憶部２０９の被認識者情報テーブル２０９ｂを参照して、拡声放送必要の有無の設定に応じて判断するようにする。
【００６９】
以上説明したように、本発明の実施形態１の変形例によれば、徘徊老人や不審者等、被認識者の捜索に直接貢献することができ、検出した被認識者に関する情報に基づいて、より正確且つ迅速に情報提供を行うことができる。
【００７０】
上述した２つの実施形態において、拡声放送用のテキスト及び音声の生成は、入力部からの拡声放送用のテキスト生成及び音声生成の操作を受け付けてから生成されるようにしたが、自動で実行されるようにしてもよい。
【００７１】
＜実施形態２＞
次に、本発明の実施形態２に係る情報通信システムについて、図面を参照して説明する。本実施形態２では、被認識者を徘徊老人とした場合の画像監視システムに本発明を適用した場合を示す。
【００７２】
［画像監視システムの構成］
図６には、本発明の情報通信システムの実施形態２に係る画像監視システムを示すシステム構成図を示してある。本実施形態２に係る画像監視システムでは、監視センター局装置６０と、複数であるｐ個の監視端末局装置７０（１）〜７０（ｐ）と、複数であるｑ個の放送端末局装置８０（１）〜８０（ｑ）を設けてある。監視センター局装置６０は、監視対象施設内や遠隔地に設けられる。監視端末局装置７０（１）〜７０（ｐ）は、監視対象施設や屋外等に設けられる。放送端末局装置８０（１）〜８０（ｑ）は、監視対象施設内や必要な遠隔地等に設けられる。なお、複数の監視端末局装置７０（１）〜７０（ｐ）の数ｐや、複数の放送端末装置局８０（１）〜８０（ｑ）の数ｑとしては、それぞれ、種々な数が用いられてもよい。
【００７３】
また、図６には、監視センター局装置６０と監視端末局装置７０（１）〜７０（ｐ）と放送端末局装置８０（１）〜８０（ｑ）とは、それぞれネットワーク回線６１で接続されている。ネットワーク回線６１は、有線であっても無線であってもよい。また、図示しないが、ネットワーク回線６１には、画像記録装置が接続されていることが多く、カメラで取得した画像を記録したり、要求された記録映像を配信したりする。
【００７４】
監視センター局装置６０は、ＣＰＵと監視センター局装置６０の動作プログラム等格納するメモリとからなる監視センター局制御部６０１を備え、この監視センター局制御部６０１には記憶部６０９及びインターフェース群が接続されている。インターフェース群は、出力インターフェース６０２、入力インターフェース６０４、表示インターフェース６０６及びネットワークインターフェース６１０とから構成される。
【００７５】
監視センター局制御部６０１は、拡声放送用テキスト生成機能６０１ａおよび音声変換機能６０１ｂを備えている。これらの制御機能はいずれも、図示しないプログラムメモリに格納されたアプリケーション・プログラムをＣＰＵに実行させることにより実現される。
【００７６】
各監視端末局装置７０（１）〜７０（ｐ）は、画像を取得するＣＣＤなどの撮像素子を含む画像取得部７１と、画像解析により被認識者を検出する画像解析部７２と、ネットワーク回線６１に接続された装置との間で信号を送受信するネットワークインターフェース７３とを備えている。
【００７７】
放送端末局装置８０（１）〜８０（ｑ）は、受信した拡声放送用の音声データを読出して音声として拡声放送するスピーカ８１と、ネットワーク回線６１に接続された装置との間で信号を送受信するネットワークインターフェース８２とを備えている。
【００７８】
ここで、本実施形態２では、監視センター局装置６０に対して、複数の監視端末局装置７０（１）〜７０（ｐ）や複数の放送端末局装置８０（１）〜８０（ｑ）が直接的にネットワーク回線６１を介して接続されるシステム構成を示すが、例えば、図示していない中継局装置を設けて、監視センター局装置６０と複数の監視端末局装置７０（１）〜７０（ｐ）や複数の放送端末局装置８０（１）〜８０（ｑ）とが中継局装置を介して接続されるようなシステム構成が用いられてもよい。
【００７９】
監視センター局装置６０について、図６を参照して詳細に説明する。出力インターフェース６０２は、センター局制御部６０１で生成された音声信号をアナログ信号に変換してスピーカ６０３から拡声出力する。入力インターフェース６０４には、マイクロホン６０５及び入力部６０７が接続されている。入力インターフェース６０４は、マイクロホン６０５から入力されたシステム管理者の音声、及び入力部６０７により入力された操作情報をデジタル信号に変換して監視センター局制御部６０１へ出力する。表示インターフェース６０６は、監視センター局制御部６０１から出力された表示データを表示部６０８に表示する。表示部６０８には、例えば、ＬＣＤ等の表示装置が使用される。ネットワークインターフェース６１０は、センター局制御部６０１の制御の下、ネットワークに接続された装置との間で信号を送受信する。
【００８０】
記憶部６０９には、端末局管理テーブル６０９ａ、被認識者情報テーブル６０９ｂ、および音声データ６０９ｃが記憶されている。端末局管理テーブル６０９ａには、このシステムに属する監視端末局装置７０のＩＤに対応付けて、監視端末局装置７０の状態変化を表わすデータとその時刻、および監視端末局装置７０の設置位置を表わす位置データが記憶されている。なお、本実施形態２では、位置データは、例えば、緯度経度や監視対象施設名やフロア名や部屋名や地区名等により表わされる。
【００８１】
拡声放送用テキスト生成機能６０１ａは、監視端末局装置７０から送信された監視端末局装置７０で検出された被認識者の画像及び画像関連情報を受信すると、被認識者の登録ＩＤ、検出時刻、端末局ＩＤを抽出し、被認識者情報テーブル６０９ｂに記憶して、これらの情報を基にして拡声放送用のテキストを生成する。このとき、監視センター局制御部６０１が記憶部６０９内の端末局管理テーブル６０９ａおよび被認識者情報テーブル６０９ｂを参照し、例えば、被認識者の種別に応じたテキスト定型文に時刻や場所の情報を組み込んで拡声放送用のテキストを作成し、表示部６０８に画像等と共に表示する。このとき生成されるテキストは、例えば、「○時○分頃、△△町△丁目で、捜索中の男性を発見しました。」「○時○分頃、△△町△丁目付近に、不審な人物が現れました。近隣住民の皆さんは注意してください。」等である。ここで場所情報は、監視端末局装置７０の設置場所の住所が記憶されていてもよいし、監視対象施設名やフロア名や部屋名や地区名等が記憶されており、これらの情報が抽出されてテキスト化される。
【００８２】
音声変換機能６０１ｂは、前述の拡声放送用テキスト生成機能６０１ａにより生成された拡声放送用のテキストを拡声放送用の音声データに変換する。このとき、監視センター局制御部６０１が記憶部６０９内の音声データ６０９ｃを参照し、テキストに応じた音声を生成する。例えば、定型文に対応する音声を記憶しておき、時間や場所の音声を各文字の音声を繋ぎ合せて生成してもよいし、全ての文字の音声を繋ぎ合せて生成してもよい。画像監視システムの場合、監視端末局装置７０から送信されてきた被認識者の画像及び画像関連情報を受信して、拡声放送用のテキストおよび音声を生成すると、まずスピーカ６０３から音声出力し、監視者に知らせるのが好ましい。
【００８３】
拡声放送用テキスト生成機能６０１ａにより生成された拡声放送用のテキストまたは音声変換機能６０１ｂにより生成された拡声放送用の音声データは、入力部６０７からの修正指示を受け付けると修正内容に応じて再生成される。
【００８４】
入力部６０７から拡声放送の指示が出ると、拡声放送用の音声データは、ネットワークインターフェース６１０より指定された、または全ての放送端末局装置８０に対して送信される。放送端末局装置８０は、拡声放送用の音声データを受信すると、スピーカ８１から拡声放送用の音声が拡声放送される。
【００８５】
［画像監視システムの動作］
次に、本発明の情報通信システムの実施形態２に係る画像監視システムの動作について、図７を参照して説明する。図７は、本発明の情報通信システムの実施形態２に係る画像監視システムにおける動作の一例を示すタイムチャートである。
【００８６】
例えば、市区町村等の行政機関において、住民から徘徊老人に関する捜索願を受け付けた場合に、監視センター局装置６０では、操作者が捜索願の依頼人より入手した被認識者である徘徊老人を判断するための判断用アイテム情報を入力部６０７から入力することで、当該判断用アイテム情報が記録部６０９の被認識者情報テーブル６０９ｂに登録され、被認識者の情報登録が為される（ステップＳ３０１）。
ここで、被認識者を判断するための判断用アイテム情報とは、例えば、年齢、性別、着衣（形、色）、髪型、髪色などであり、それぞれの特徴量が被認識者情報テーブル６０９ｂに登録される。これらの登録方法は、例えば、入力部６０７からの操作によって、表示部６０８に表示された操作画面上でこれらを選択式に設定できるようにしてもよい。
【００８７】
次に、被認識者である徘徊老人の捜索について、拡声放送が必要か否かを操作者に判断させ（ステップＳ３０２）、必要と判断された場合（ＹＥＳ）には、次のステップＳ３０３の処理へ進み、不要と判断された場合（ＮＯ）には、拡声放送せずにステップＳ３０７の処理へ進む。
ここで、例えば、捜索する被認識者が不審者等の場合には、公にすることなく監視端末局装置７０による捜索が必要となるため、拡声放送しないようにする方がよい。
【００８８】
ステップＳ３０２において拡声放送が必要と判断された場合、監視センター局装置６０では、監視センター局制御部６０１が、拡声放送用テキスト生成機能６０１ａにより、被認識者である徘徊老人を判断するための判断用アイテム情報を基にして、拡声放送用のテキストを生成する（ステップＳ３０３）。
次に、監視センター局制御部６０１が、音声変換機能６０１ｂにより、拡声放送用のテキストを拡声放送用の音声に変換する（ステップＳ３０４）。変換された拡声放送用の音声データは、指定した、または全ての放送端末局装置８０に送信される（ステップＳ３０５）。
そして、放送端末局装置８０は、監視センター局装置６０から拡声放送用の音声データを受信すると、スピーカ８１から拡声放送用の音声を拡声放送する（ステップＳ３０６）。
【００８９】
また、監視センター局制御部６０１は、被認識者の判断用アイテム情報と被認識者に関する画像収集の開始要求を、ネットワーク回線６１を介して監視端末局装置７０に送信する（ステップＳ３０７）。
監視端末局装置７０は、監視センター局装置６０から被認識者の判断用アイテム情報と被認識者に関する画像収集の開始要求を受信すると、画像取得並びに画像解析の処理を開始し、画像取得部７１で取得した画像を画像解析部７２で解析を行い、被認識者を検出する（ステップＳ３０８）。
なお、ステップＳ３０８の画像解析処理においては、例えば、特開２００９−１９９３２２号公報等に開示された人物の同一性を判断する公知の技術を使い、被認識者の人物検索を行う。特開２００９−１９９３２２号公報には、顔特徴量と着衣情報から人物を検索する技術が記載されている。
そして、監視端末局装置７０は、ステップＳ３０８の画像解析処理にて検出した被認識者の画像及び画像関連情報を図示していない記憶部に蓄積・保存する（ステップＳ３０９）。
【００９０】
一方、監視センター局装置６０では、操作者が入力部６０７から、ポーリング機能により、監視端末局装置７０に対して画像送信要求を行うと（ステップＳ３１０）、監視端末局装置７０は、被認識者の画像及び画像関連情報を、検出時刻や端末局ＩＤと共にネットワーク回線６１を介して監視センター局装置６０へ送信する（ステップＳ３１１）。
監視センター局装置６０では、監視端末局装置７０から被認識者の画像及び画像関連情報を受信すると、監視センター局制御部６０１が、記憶部６０９の被認識者情報テーブル６０９ｂに蓄積・保存する（ステップＳ３１２）。
監視センター局制御部６０１は、監視端末局装置７０から収集した複数の被認識者の画像及び画像関連情報の解析を行い（ステップＳ３１３）、解析した結果を表示部６０８に表示させる（ステップＳ３１４）。例えば、監視センター局制御部６０１は、解析した結果に基づいて、表示部６０８に表示された操作画面の地図上に、被認識者の画像と被認識者が見つかった場所を明示するようにする。
【００９１】
次に、被認識者である徘徊老人が見つかったことについて、拡声放送が必要か否かを操作者に判断させ（ステップＳ３１５）、必要と判断された場合（ＹＥＳ）には、次のステップＳ３１６の処理へ進み、不要と判断された場合（ＮＯ）には、拡声放送せずに処理を終了する。
ここで、例えば、捜索していた被認識者が不審者等の場合には、公にしない方がよい場合があるので、拡声放送するかしないかは適宜操作者または管理者が判断するようにすればよい。
【００９２】
ステップＳ３１５において拡声放送が必要と判断された場合、監視センター局装置６０では、監視センター局制御部６０１が、拡声放送用テキスト生成機能６０１ａにより、被認識者の画像及び画像関連情報を基にして、拡声放送用のテキストを生成する（ステップＳ３１６）。
次に、監視センター局制御部６０１が、音声変換機能６０１ｂにより、拡声放送用のテキストを拡声放送用の音声データに変換する（ステップＳ３１７）。変換された拡声放送用の音声データは、指定した、または全ての放送端末局装置８０に送信される（ステップＳ３１８）。
そして、放送端末局装置８０は、監視センター局装置６０から拡声放送用の音声データを受信すると、スピーカ８１から拡声放送用の音声を拡声放送する（ステップＳ３１９）。
【００９３】
なお、ステップＳ３０２及びステップＳ３１５の処理では、操作者が拡声放送の必要の有無を判断することとしたが、監視センター局制御部６０１が自動で判断するようにしてもよい。その際には、被認識者情報テーブル６０９ｂに被認識者ごとの拡声放送必要の有無を設定しておき、監視センター局制御部６０１が記憶部６０９の被認識者情報テーブル６０９ｂを参照して、拡声放送必要の有無の設定に応じて判断するようにする。
【００９４】
以上説明したように、本発明の実施形態２によれば、徘徊老人や不審者等、被認識者の捜索に直接貢献することができ、検出した被認識者に関する情報に基づいて、より正確且つ迅速に情報提供を行うことができる。
【００９５】
＜実施形態３＞
次に、本発明の実施形態３に係る情報通信システムについて、説明する。本実施形態３では、本発明の実施形態１に係る情報通信システムにおいて、拡声放送用のテキストデータを作成することなくダイレクトに拡声放送用の音声データを作成する場合について説明する。
【００９６】
［無線通信システムの動作］
本発明の情報通信システムの実施形態３に係る無線通信システムにおける動作について、図８を参照して説明する。図８は、本発明の情報通信システムの実施形態３に係る無線通信システムにおける動作の一例を示すタイムチャートである。
例えば、市区町村等の行政機関において、住民から徘徊老人に関する捜索願を受け付けた場合に、センター局装置１０では、操作者が捜索願の依頼人より入手した被認識者である徘徊老人を判断するための判断用アイテム情報を操作卓２の入力部２０７から入力することで、当該判断用アイテム情報が記録部２０９の被認識者情報テーブル２０９ｂに登録され、被認識者の情報登録が為される（ステップＳ４０１）。
ここで、被認識者を判断するための判断用アイテム情報とは、例えば、年齢、性別、着衣（形、色）、髪型、髪色などであり、それぞれの特徴量が被認識者情報テーブル２０９ｂに登録される。これらの登録方法は、例えば、入力部２０７からの操作によって、表示部２０８に表示された操作画面上でこれらを選択式に設定できるようにしてもよい。
【００９７】
次に、被認識者である徘徊老人の捜索について、拡声放送が必要か否かを操作者に判断させ（ステップＳ４０２）、必要と判断された場合（ＹＥＳ）には、次のステップＳ４０３の処理へ進み、不要と判断された場合（ＮＯ）には、拡声放送せずにステップＳ４０７の処理へ進む。
ここで、例えば、捜索する被認識者が不審者等の場合には、公にすることなく端末局装置３０のカメラ３５による捜索が必要となるため、拡声放送しないようにする方がよい。
【００９８】
ステップＳ４０２において拡声放送が必要と判断された場合、センター局装置１０では、操作卓２のセンター局制御部２０１が、図示していない拡声放送用音声生成機能により、被認識者である徘徊老人を判断するための判断用アイテム情報を基にして、拡声放送用の音声データを生成し（ステップＳ４０３）、変換された拡声放送用の音声データは、指定した、または全ての端末局装置３０または／および戸別受信機４０に送信される（ステップＳ４０４）。
そして、端末局装置３０は、センター局装置１０から拡声放送用の音声データを受信すると、トランペットスピーカ３４から拡声放送用の音声を拡声放送し（ステップＳ４０５）、また、戸別受信機４０は、拡声放送用の音声データを受信すると、モニタスピーカ４２から拡声放送用の音声を出力する（ステップＳ４０６）。
【００９９】
また、操作卓２のセンター局制御部２０１は、被認識者の判断用アイテム情報と被認識者に関する画像収集の開始要求を、基地局無線送受信装置１を介して端末局装置３０に送信する（ステップＳ４０７）。
端末局装置３０は、センター局装置１０から被認識者の判断用アイテム情報と被認識者に関する画像収集の開始要求を受信すると、カメラ３５を作動させて画像取得並びに画像解析の処理を開始し、画像取得部３６で取得した画像を画像解析部３７で解析を行い、被認識者を検出する（ステップＳ４０８）。
なお、ステップＳ４０８の画像解析処理においては、例えば、特開２００９−１９９３２２号公報等に開示された人物の同一性を判断する公知の技術を使い、被認識者の人物検索を行う。特開２００９−１９９３２２号公報には、顔特徴量と着衣情報から人物を検索する技術が記載されている。
そして、端末局装置３０のカメラ３５は、ステップＳ４０８の画像解析処理にて検出した被認識者の画像及び画像関連情報を図示していない記憶部に蓄積・保存する（ステップＳ４０９）。
【０１００】
一方、センター局装置１０では、操作者が操作卓２の入力部２０７から、ポーリング機能により、端末局装置３０に対して画像送信要求を行うと（ステップＳ４１０）、端末局装置３０は、被認識者の画像及び画像関連情報を、検出時刻や端末局ＩＤと共に無線回線２１を介してセンター局装置１０へ送信する（ステップＳ４１１）。
センター局装置１０は、端末局装置３０から被認識者の画像及び画像関連情報を受信すると、操作卓２に転送し、操作卓２のセンター局制御部２０１が、記憶部２０９の被認識者情報テーブル２０９ｂに蓄積・保存する（ステップＳ４１２）。
センター局制御部２０１は、端末局装置３０から収集した複数の被認識者の画像及び画像関連情報の解析を行い（ステップＳ４１３）、解析した結果を表示部２０８に表示させる（ステップＳ４１４）。例えば、センター局制御部２０１は、解析した結果に基づいて、表示部２０８に表示された操作画面の地図上に、被認識者の画像と被認識者が見つかった場所を明示するようにする。
【０１０１】
次に、被認識者である徘徊老人が見つかったことについて、拡声放送が必要か否かを操作者に判断させ（ステップＳ４１５）、必要と判断された場合（ＹＥＳ）には、次のステップＳ４１６の処理へ進み、不要と判断された場合（ＮＯ）には、拡声放送せずに処理を終了する。
ここで、例えば、捜索していた被認識者が不審者等の場合には、公にしない方がよい場合があるので、拡声放送するかしないかは適宜操作者または管理者が判断するようにすればよい。
【０１０２】
ステップＳ４１５において拡声放送が必要と判断された場合、センター局装置１０では、操作卓２のセンター局制御部２０１が、図示していない拡声放送用音声生成機能により、被認識者の画像及び画像関連情報を基にして、拡声放送用の音声データを生成し（ステップＳ４１６）、変換された拡声放送用の音声データは、指定した、または全ての端末局装置３０または／および戸別受信機４０に送信される（ステップＳ４１７）。
そして、端末局装置３０は、センター局装置１０から拡声放送用の音声データを受信すると、トランペットスピーカ３４から拡声放送用の音声を拡声放送し（ステップＳ４１８）、また、戸別受信機４０は、拡声放送用の音声データを受信すると、モニタスピーカ４２から拡声放送用の音声を出力する（ステップＳ４１９）。
【０１０３】
なお、ステップＳ４０２及びステップＳ４１５の処理では、操作者が拡声放送の必要の有無を判断することとしたが、センター局制御部２０１が自動で判断するようにしてもよい。その際には、被認識者情報テーブル２０９ｂに被認識者ごとの拡声放送必要の有無を設定しておき、センター局制御部２０１が記憶部２０９の被認識者情報テーブル２０９ｂを参照して、拡声放送必要の有無の設定に応じて判断するようにする。
【０１０４】
以上説明したように、本発明の実施形態３によれば、徘徊老人や不審者等、被認識者の捜索に直接貢献することができ、検出した被認識者に関する情報に基づいて、より正確且つ迅速に情報提供を行うことができる。
また、端末局装置により被認識者を検出すると、センター局装置で拡声放送用の音声データを自動的に生成し、端末局装置および戸別受信機で拡声放送できるため、より迅速に被認識者の情報を知らせることができる。
【０１０５】
以上、本発明を複数の実施形態を用いて説明してきたが、これらの実施形態に限定するものではない。例えば、被認識者検出のための画像解析機能は、本実施形態ではカメラに備えることとしたが、カメラとは別体の画像処理装置を設けてもよいし、センター局装置側に設けてもよい。また、テキスト生成機能と音声変換機能は同一の媒体に備わっていてもよいし、別々の媒体に備わっていてもよい。
【０１０６】
要するに本発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【符号の説明】
【０１０７】
１・・基地局無線送受信装置、２・・操作卓、３・・端末局本体装置、５・・監視端末局本体装置、１０・・センター局装置、１１・・センター局制御部、１２・・センター局無線部、１３・・センター局アンテナ、２１・・無線回線、２２・・無線回線、２３・・無線回線、２４・・無線回線、３０・・端末局装置、３１・・端末局制御部、３２・・端末局無線部、３３・・端末局アンテナ、３４・・トランペットスピーカ、３５・・カメラ、３６・・画像取得部、３７・・画像解析部、４０・・戸別受信機、４１・・録音再生部、４２・・モニタスピーカ、５０・・監視端末局装置、５１・・監視端末局制御部、５２・・監視端末局無線部、５３・・監視端末局アンテナ、５５・・カメラ、５６・・画像取得部、５７・・画像解析部、６０・・監視センター局装置、６１・・ネットワーク回線、７０・・監視端末局装置、７１・・画像取得部、７２・・画像解析部、７３・・ネットワークインターフェース、８０・・放送端末局装置、８１・・スピーカ、８２・・ネットワークインターフェース、２０１・・センター局制御部、２０１ａ・・拡声放送用テキスト生成機能、２０１ｂ・・音声変換機能、２０２・・出力インターフェース、２０３・・スピーカ、２０４・・入力インターフェース、２０５・・マイクロホン、２０６・・表示インターフェース、２０７・・入力部、２０８・・表示部、２０９・・記憶部、２０９ａ・・端末局管理テーブル、２０９ｂ・・被認識者情報テーブル、２０９ｃ・・音声データ、２１０・・無線インターフェース、６０１・・監視センター局制御部、６０１ａ・・拡声放送用テキスト生成機能、６０１ｂ・・音声変換機能、６０２・・出力インターフェース、６０３・・スピーカ、６０４・・入力インターフェース、６０５・・マイクロホン、６０６・・表示インターフェース、６０７・・入力部、６０８・・表示部、６０９・・記憶部、６０９ａ・・端末局管理テーブル、６０９ｂ・・被認識者情報テーブル、６０９ｃ・・音声データ、６１０・・ネットワークインターフェース。
【図１】
2015186113.tif 000003
【図２】
2015186113.tif 000004
【図３】
2015186113.tif 000005
【図４】
2015186113.tif 000006
【図５】
2015186113.tif 000007
【図６】
2015186113.tif 000008
【図７】
2015186113.tif 000009
【図８】
2015186113.tif 000010